(57)【特許請求の範囲】
【請求項１】
プロセッサを備えた無線通信装置によって実行される無線通信のための方法であって、前記プロセッサが、
複数の周波数位置において、基準信号の複数の送信を生成することと、
少なくとも１つのサブフレームの複数のシンボル期間において、前記基準信号の複数の送信を送ることと、ここで、前記基準信号の少なくとも２つの送信が、前記少なくとも１つのサブフレームのおのおので送られ、前記基準信号のおのおのの送信が、前記基準信号の帯域幅の一部をカバーし、前記基準信号の複数の送信が、前記基準信号の帯域幅の全体をカバーする、
を備え、
前記送られた基準信号の複数の送信に基づいて生成される、前記複数のシンボル期間のための複数のサンプル・シーケンスに基づいて、前記基準信号の複数の到着時間（ＴＯＡ）が、複数の受信機において決定される、
方法。
【請求項２】
前記基準信号のおのおのの送信が、特定の周波数位置において、隣接したサブキャリアのセットで送られる、請求項１に記載の方法。
【請求項３】
前記隣接したサブキャリアのセットは、前記基準信号の帯域幅に基づいて決定された設定可能なサブキャリア数を含む、請求項２に記載の方法。
【請求項４】
前記基準信号の複数の送信を送ることは、単一のサブフレームの異なるシンボル期間において、前記基準信号の複数の送信を、前記サブフレームのおのおののシンボル期間において、前記基準信号の１つの送信を送ることを備える、請求項１に記載の方法。
【請求項５】
前記基準信号の複数の送信を生成することは、異なる周波数位置において、前記基準信号の複数の送信を、おのおのの周波数位置において、前記基準信号の１つの送信を生成することを備える、請求項１に記載の方法。
【請求項６】
前記基準信号の複数の送信を生成することは、前記複数のシンボル期間における準ランダムな周波数位置において、前記基準信号の複数の送信を生成することを備える、請求項１に記載の方法。
【請求項７】
前記基準信号の複数の送信を生成することは、
シンボルのシーケンスを生成することと、
前記基準信号のおのおのの送信のために、前記シンボルのシーケンスにおけるシンボルを、前記基準信号の送信のために選択された周波数位置におけるサブキャリアのセットにマップすることと
を備える、請求項１に記載の方法。
【請求項８】
前記シンボルのシーケンスを生成することは、擬似乱数（ＰＮ）シーケンスまたはＺａｄｏｆｆ−Ｃｈｕシーケンスに基づいて前記シンボルのシーケンスを生成することを備える、請求項７に記載の方法。
【請求項９】
前記複数のシンボル期間のおのおののために、前記プロセッサが、シングル・キャリア周波数分割多元接続（ＳＣ−ＦＤＭＡ）シンボルを生成することをさらに備え、おのおののＳＣ−ＦＤＭＡシンボルは、少なくとも１つの周波数位置のために、前記基準信号の少なくとも１つの送信を備える、請求項１に記載の方法。
【請求項１０】
前記複数のシンボル期間のおのおののために、前記プロセッサが、直交周波数分割多重（ＯＦＤＭ）シンボルを生成することをさらに備え、おのおののＯＦＤＭシンボルは、少なくとも１つの周波数位置のために、前記基準信号の少なくとも１つの送信を備える、請求項１に記載の方法。
【請求項１１】
前記基準信号の複数の送信を送ることは、前記基準信号の複数の送信を、ユーザ機器（ＵＥ）から、少なくとも１つの基地局、少なくとも１つの位置測定ユニット（ＬＭＵ）、またはこれら両方を備える複数の受信局へ送ることを備える、請求項１に記載の方法。
【請求項１２】
前記ＵＥのための位置推定値が、アップリンク到着時間差（Ｕ−ＴＤＯＡ）位置決め方法を用いて、前記基準信号の複数のＴＯＡに基づいて決定される、請求項１１に記載の方法。
【請求項１３】
無線通信のための装置であって、
複数の周波数位置において、基準信号の複数の送信を生成する手段と、
少なくとも１つのサブフレームの複数のシンボル期間において、前記基準信号の複数の送信を送る手段と、ここで、前記基準信号の少なくとも２つの送信は、前記少なくとも１つのサブフレームのおのおので送られ、前記基準信号のおのおのの送信は、前記基準信号の帯域幅の一部をカバーし、前記基準信号の複数の送信は、前記基準信号の帯域幅の全体をカバーする、
を備え、
前記送られた基準信号の複数の送信に基づいて生成される、前記複数のシンボル期間のための複数のサンプル・シーケンスに基づいて、前記基準信号の複数の到着時間（ＴＯＡ）が、複数の受信機において決定される、
装置。
【請求項１４】
前記基準信号の複数の送信を送る手段は、単一のサブフレームの異なるシンボル期間において、前記基準信号の複数の送信を、前記サブフレームのおのおののシンボル期間において、前記基準信号の１つの送信を送る手段を備える、請求項１３に記載の装置。
【請求項１５】
前記基準信号の複数の送信を生成する手段は、異なる周波数位置において、前記基準信号の複数の送信を、おのおのの周波数位置において、前記基準信号の１つの送信を生成する手段を備える、請求項１３に記載の装置。
【請求項１６】
前記基準信号の複数の送信を生成する手段は、
シンボルのシーケンスを生成する手段と、
前記シンボルのシーケンスにおけるシンボルを、前記基準信号のおのおのの送信のために選択された周波数位置におけるサブキャリアのセットにマップする手段と
を備える、請求項１３に記載の装置。
【請求項１７】
無線通信のための装置であって、
複数の周波数位置において、基準信号の複数の送信を生成し、少なくとも１つのサブフレームの複数のシンボル期間において、前記基準信号の複数の送信を送るように構成された少なくとも１つのプロセッサを備え、
前記基準信号の少なくとも２つの送信は、前記少なくとも１つのサブフレームのおのおので送られ、前記基準信号のおのおのの送信は、前記基準信号の帯域幅の一部をカバーし、前記基準信号の複数の送信は、前記基準信号の帯域幅の全体をカバーし、
前記送られた基準信号の複数の送信に基づいて生成される、前記複数のシンボル期間のための複数のサンプル・シーケンスに基づいて、前記基準信号の複数の到着時間（ＴＯＡ）が、複数の受信機において決定される、
装置。
【請求項１８】
前記少なくとも１つのプロセッサは、単一のサブフレームの異なるシンボル期間において、前記基準信号の複数の送信を、前記サブフレームのおのおののシンボル期間において、前記基準信号の１つの送信を送るように構成された、請求項１７に記載の装置。
【請求項１９】
前記少なくとも１つのプロセッサは、異なる周波数位置において、前記基準信号の複数の送信を、おのおのの周波数位置において、前記基準信号の１つの送信を生成するように構成された、請求項１７に記載の装置。
【請求項２０】
前記少なくとも１つのプロセッサは、シンボルのシーケンスを生成し、前記シンボルのシーケンスにおけるシンボルを、前記基準信号のおのおのの送信のために選択された周波数位置におけるサブキャリアのセットにマップするように構成された、請求項１７に記載の装置。
【請求項２１】
少なくとも１つのコンピュータに対して、複数の周波数位置において、基準信号の複数の送信を生成させるためのコードと、
前記少なくとも１つのコンピュータに対して、少なくとも１つのサブフレームの複数のシンボル期間において、前記基準信号の複数の送信を送らせるためのコードとを記録し、
前記基準信号の少なくとも２つの送信は、前記少なくとも１つのサブフレームのおのおので送られ、前記基準信号のおのおのの送信は、前記基準信号の帯域幅の一部をカバーし、前記基準信号の複数の送信は、前記基準信号の帯域幅の全体をカバーし、
前記送られた基準信号の複数の送信に基づいて生成される、前記複数のシンボル期間のための複数のサンプル・シーケンスに基づいて、前記基準信号の複数の到着時間（ＴＯＡ）が、複数の受信機において決定される、
コンピュータ読取可能な記録媒体。
【請求項２２】
プロセッサを備えた無線通信装置によって実行される無線通信のための方法であって、前記プロセッサが、
少なくとも１つのサブフレームの複数のシンボル期間における複数の周波数位置において、基準信号の複数の送信を受信することと、ここで、前記基準信号の少なくとも２つの送信は、前記少なくとも１つのサブフレームのおのおので受信され、前記基準信号のおのおのの送信は、前記基準信号の帯域幅の一部をカバーし、前記基準信号の複数の送信は、前記基準信号の帯域幅の全体をカバーする、
前記受信された基準信号の複数の送信に基づいて生成される、前記複数のシンボル期間のための複数のサンプル・シーケンスに基づいて、前記基準信号の到着時間（ＴＯＡ）を決定することと
を備える方法。
【請求項２３】
前記基準信号の複数の送信を受信することは、単一のサブフレームの異なるシンボル期間において、前記基準信号の複数の送信を、前記サブフレームのおのおののシンボル期間において、前記基準信号の１つの送信を受信することを備える、請求項２２に記載の方法。
【請求項２４】
前記基準信号の複数の送信を受信することは、異なる周波数位置において、前記基準信号の複数の送信を、おのおのの周波数位置において、前記基準信号の１つの送信を受信することを備える、請求項２２に記載の方法。
【請求項２５】
前記基準信号の複数の送信を受信することは、前記複数のシンボル期間における準ランダムな周波数位置において、前記基準信号の複数の送信を受信することを備える、請求項２２に記載の方法。
【請求項２６】
前記基準信号のＴＯＡを決定することは、
前記複数のシンボル期間のための複数のサンプル・シーケンスを生成することと、ここで、おのおののサンプル・シーケンスは、１つのシンボル期間における少なくとも１つの周波数位置のために、前記基準信号の少なくとも１つの送信を備える、
前記受信された基準信号の送信を、異なる時間オフセットにおける前記複数のサンプル・シーケンスに相関付けることと、
前記異なる時間オフセットのための相関結果に基づいて、前記基準信号のＴＯＡを決定することと
を備える、請求項２２に記載の方法。
【請求項２７】
前記受信された基準信号の送信を相関付けることは、
おのおのの時間オフセットについて、前記受信された基準信号のおのおのの送信を、前記時間オフセットにおいて対応するサンプル・シーケンスに相関付けることと、
前記時間オフセットのための相関結果を得るために、前記複数のシンボル期間にわたって相関結果をコヒーレントに結合することと
を備える、請求項２６に記載の方法。
【請求項２８】
前記基準信号のＴＯＡを決定することは、
前記異なる時間オフセットのための相関結果におけるピークを求める検出を行うことと、
前記検出されたピークに対応する時間オフセットに基づいて前記ＴＯＡを決定すること
を備える、請求項２６に記載の方法。
【請求項２９】
前記基準信号の複数の送信は、ユーザ機器（ＵＥ）によって送られ、複数の受信局によって受信され、前記基準信号の複数のＴＯＡは、前記ＵＥからの前記基準信号の複数の送信に基づいて、前記複数の受信局によって取得され、前記ＵＥのための位置推定値は、アップリンク到着時間差（Ｕ−ＴＤＯＡ）位置決め方法を用いて、前記基準信号の複数のＴＯＡに基づいて決定される、請求項２２に記載の方法。
【請求項３０】
無線通信のための装置であって、
少なくとも１つのサブフレームの複数のシンボル期間における複数の周波数位置において、基準信号の複数の送信を受信する手段と、ここで、前記基準信号の少なくとも２つの送信は、前記少なくとも１つのサブフレームのおのおので受信され、前記基準信号のおのおのの送信は、前記基準信号の帯域幅の一部をカバーし、前記基準信号の複数の送信は、前記基準信号の帯域幅の全体をカバーする、
前記受信された基準信号の複数の送信に基づいて生成される、前記複数のシンボル期間のための複数のサンプル・シーケンスに基づいて、前記基準信号の到着時間（ＴＯＡ）を決定する手段と
を備える装置。
【請求項３１】
前記ＴＯＡを決定する手段は、
前記複数のシンボル期間のための複数のサンプル・シーケンスを生成する手段と、ここで、おのおののサンプル・シーケンスは、１つのシンボル期間における少なくとも１つの周波数位置のために、前記基準信号の少なくとも１つの送信を備える、
前記受信された基準信号の送信を、異なる時間オフセットにおける前記複数のサンプル・シーケンスに相関付ける手段と、
前記異なる時間オフセットのための相関結果に基づいて、前記基準信号のＴＯＡを決定する手段と
を備える、請求項３０に記載の装置。
【請求項３２】
前記受信された基準信号の送信を相関付ける手段は、
おのおのの時間オフセットについて、前記受信された基準信号のおのおのの送信を、前記時間オフセットにおいて対応するサンプル・シーケンスに相関付ける手段と、
前記時間オフセットのための相関結果を得るために、前記複数のシンボル期間にわたって相関結果をコヒーレントに結合する手段と
を備える、請求項３１に記載の装置。
【請求項３３】
前記基準信号の複数の送信は、ユーザ機器（ＵＥ）によって送られ、複数の受信局によって受信され、前記基準信号の複数のＴＯＡは、前記ＵＥからの前記基準信号の複数の送信に基づいて、前記複数の受信局によって取得され、前記ＵＥのための位置推定値は、アップリンク到着時間差（Ｕ−ＴＤＯＡ）位置決め方法を用いて、前記基準信号の複数のＴＯＡに基づいて決定される、請求項３０に記載の装置。
【請求項３４】
無線通信のための装置であって、
少なくとも１つのサブフレームの複数のシンボル期間における複数の周波数位置において、基準信号の複数の送信を受信し、ここで、前記基準信号の少なくとも２つの送信は、前記少なくとも１つのサブフレームのおのおので受信され、前記基準信号のおのおのの送信は、前記基準信号の帯域幅の一部をカバーし、前記基準信号の複数の送信は、前記基準信号の帯域幅の全体をカバーする、
前記受信された基準信号の複数の送信に基づいて生成される、前記複数のシンボル期間のための複数のサンプル・シーケンスに基づいて、前記基準信号の到着時間（ＴＯＡ）を決定する
ように構成された少なくとも１つのプロセッサを備える、装置。
【請求項３５】
前記少なくとも１つのプロセッサは、
前記複数のシンボル期間のための複数のサンプル・シーケンスを生成し、ここで、おのおののサンプル・シーケンスは、１つのシンボル期間における少なくとも１つの周波数位置のために、前記基準信号の少なくとも１つの送信を備える、
前記受信された基準信号の送信を、異なる時間オフセットにおける前記複数のサンプル・シーケンスに相関付け、
前記異なる時間オフセットのための相関結果に基づいて、前記基準信号のＴＯＡを決定する
ように構成された、請求項３４に記載の装置。
【請求項３６】
おのおのの時間オフセットについて、前記少なくとも１つのプロセッサは、
前記受信された基準信号のおのおのの送信を、前記時間オフセットにおいて対応するサンプル・シーケンスに相関付け、
前記時間オフセットのための相関結果を得るために、前記複数のシンボル期間にわたって相関結果をコヒーレントに結合する
ように構成された、請求項３５に記載の装置。
【請求項３７】
前記基準信号の複数の送信は、ユーザ機器（ＵＥ）によって送られ、複数の受信局によって受信され、前記ＵＥのための位置推定値は、アップリンク到着時間差（Ｕ−ＴＤＯＡ）位置決め方法を用いて、前記基準信号の複数のＴＯＡに基づいて決定される、請求項３４に記載の装置。
【請求項３８】
少なくとも１つのコンピュータに対して、少なくとも１つのサブフレームの複数のシンボル期間における複数の周波数位置において、基準信号の複数の送信を受信させるためのコードと、ここで、前記基準信号の少なくとも２つの送信は、前記少なくとも１つのサブフレームのおのおので受信され、前記基準信号のおのおのの送信は、前記基準信号の帯域幅の一部をカバーし、前記基準信号の複数の送信は、前記基準信号の帯域幅の全体をカバーする、
前記少なくとも１つのコンピュータに対して、前記基準信号の複数の送信に基づいて生成される、前記複数のシンボル期間のための複数のサンプル・シーケンスに基づいて、前記基準信号の到着時間（ＴＯＡ）を決定するためのコードと、
を記録したコンピュータ読取可能な記録媒体。
【発明の詳細な説明】
【優先権主張】
【０００１】
本特許出願は、本明細書において参照によって明確に組み込まれ、２００９年５月８日出願の「無線通信システムにおける位置決めをサポートする基準信号を生成するための方法および装置」（METHOD AND APPARATUS FOR GENERATING A REFERENCE SIGNAL SUPPORTING POSITIONING IN A WIRELESS COMMUNICATION NETWORK）と題された仮出願６１／１７６，６９５号に対する優先権を主張する。
【技術分野】
【０００２】
本開示は、一般に通信に関し、さらに詳しくは、無線通信ネットワークにおける基準信号の送信および受信のための技術に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）シネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
ＵＥは、ＵＥの検出範囲内の基地局へアップリンクで基準信号を送信しうる。基準信号は、送信機および受信機に演繹的に知られている信号であり、パイロット信号、パイロット、プリアンブル等と称されうる。例えばチャネル推定や位置決め等のようなさまざまな目的のために使用されうるように、基準信号を送信することが望ましい。
【発明の概要】
【０００６】
本明細書では、チャネル推定、位置決め、および／または、その他の目的のために使用されうる基準信号を送信および受信するための技術が記述される。１つの設計では、ＵＥは、複数の周波数位置で、基準信号の複数の送信を生成しうる。ＵＥは、少なくとも１つのサブフレームの複数のシンボル期間において、基準信号の複数の送信を送りうる。また、おのおののサブフレームにおいて、基準信号の少なくとも２つの送信を送りうる。１つの設計では、ＵＥは、例えば、サブフレームのおのおののシンボル期間における基準信号の１つの送信のように、単一のサブフレームの別のシンボル期間において、基準信号の送信を送りうる。１つの設計では、基準信号のおのおのの送信は、基準信号の帯域幅の一部をカバーしうる。また、基準信号の複数の送信が、基準信号の帯域幅の全体をカバーしうる。１つの設計では、基準信号のおのおのの送信は、特定の周波数位置において、隣接したサブキャリアのセットで送られうる。
【０００７】
１つの設計では、基準信号は、位置決めのために使用されうる。複数の受信局が、ＵＥから、基準信号の送信を受信しうる。おのおのの受信局は、受信された基準信号の送信に基づいて、受信局における基準信号の到着時間（ＴＯＡ）を決定しうる。ＵＥの位置推定は、到着アップリンク時間差（Ｕ−ＴＤＯＡ：uplink time difference of arrival）位置決め方法を用いて、複数の受信局によって取得された基準信号の複数のＴＯＡに基づいて決定されうる。基準信号はまた、その他の目的にも使用されうる。
【０００８】
本開示のさまざまな態様および特徴が、以下にさらに詳細に記載される。
【図面の簡単な説明】
【０００９】
【図１】図１は、無線通信ネットワークを示す。
【図２】図２は、典型的なフレーム構造を示す。
【図３】図３は、基準信号の典型的な送信を示す。
【図４】図４は、Ｕ−ＴＤＯＡのために良好なパフォーマンスを提供しうる改善された基準信号の典型的な設計である。
【図５】図５は、Ｕ−ＴＤＯＡのために良好なパフォーマンスを提供しうる改善された基準信号の典型的な設計である。
【図６】図６は、改善された基準信号のための送信機のブロック図を示す。
【図７】図７は、改善された基準信号のための受信機のブロック図を示す。
【図８】図８は、基準情報を送信する処理を示す。
【図９】図９は、制御情報を受信する処理を示す。
【図１０】図１０は、ＵＥおよび基地局のブロック図を示す。
【発明を実施するための形態】
【００１０】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と命名された組織からの文書に記載されている。ｃｄｍａ２０００およびＵＭＢは、「第３世代パートナシップ計画プロジェクト２」（３ＧＰＰ２）と命名された組織からの文書に記載されている。本明細書で記載された技術は、他の無線ネットワークおよびラジオ技術と同様に、上述された無線ネットワークおよびラジオ技術のために使用されうる。明瞭かのために、これら技術のある態様は、以下において、ＬＴＥについて記載されており、ＬＴＥ用語が以下の説明の多くで使用される。
【００１１】
図１は、無線通信ネットワーク１００を示す。これは、ＬＴＥネットワークまたはその他いくつかの無線ネットワークにおけるイボルブド・ユニバーサル地上ラジオ・アクセス・ネットワーク（Ｅ−ＵＴＲＡＮ）でありうる。無線ネットワーク１００は、多くのイボルブド・ノードＢ（ｅＮＢ）およびその他のネットワーク・エンティティを含みうる。単純化のために、図１では、３つのｅＮＢ１１０ａ、１１０ｂ、１１０ｃおよび１つのネットワーク・コントローラ１３０のみが示されている。ｅＮＢは、ＵＥと通信するエンティティであり、ノードＢ、基地局、アクセス・ポイント等とも称されうる。おのおののｅＮＢ１１０は、特定の地理的エリアのために通信有効範囲を提供する。ｅＮＢの有効通信範囲エリアの全体は、複数（例えば、３つ）の小さな領域に分割され、おのおのの小さな領域は、それぞれのｅＮＢサブシステムによってサービス提供されうる。３ＧＰＰでは、用語「セル」は、この有効通信範囲エリアにサービス提供しているｅＮＢおよび／またはｅＮＢサブシステムのうちの最小の有効通信範囲エリアを称しうる。３ＧＰＰでは、用語「セクタ」または「セル・セクタ」は、この有効通信範囲エリアにサービス提供している基地局および／または基地局サブシステムのうちの最小の有効通信範囲エリアを称しうる。明瞭化のために、以下の説明では、セルの３ＧＰＰ概念が使用される。
【００１２】
ネットワーク・コントローラ１３０は、ｅＮＢのセットに接続しており、これらｅＮＢに対して調整および制御を提供しうる。ネットワーク・コントローラ１３０は、例えばＬＴＥにおけるＸ２インタフェースのようなバックホールを介してｅＮＢと通信しうる。ｅＮＢはまた、例えば、ダイレクトに、または、無線または有線のバックホールを介して非ダイレクトに、互いに通信しうる。
【００１３】
無線ネットワーク１００の全体にわたって、多くのＵＥが分布しうる。そして、おのおののＵＥは、固定式または移動式でありうる。単純化のために、図１は、１つのＵＥ１２０しか示していない。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。図１は、ＵＥ１２０からｅＮＢ１１０ａ、１１０ｂ、１１０ｃへのアップリンク送信を示す。ｅＮＢからＵＥへのダウンリンク送信は、図１に示されていない。
【００１４】
図２は、ＬＴＥにおけるアップリンク用のフレーム構造２００を示す。この送信タイムラインは、ラジオ・フレームの単位に分割されうる。おのおののラジオ・フレームは、例えば１０ミリ秒（ｍｓ）のような予め定めた持続時間を有し、０乃至９のインデクスを持つ１０個のサブフレームへ分割されうる。おのおののサブフレームは、２つのスロットを含んでおり、おのおののスロットは、Ｌ個のシンボル期間を含みうる。Ｌは、拡張されたサイクリック・プレフィクスの場合には６に等しいか、または、ＬＴＥにおける通常のサイクリック・プレフィクスの場合には７に等しい。
【００１５】
ＬＴＥは、ダウンリンクで周波数分割多重化（ＯＦＤＭ）を、アップリンクでシングル・キャリア周波数分割多重化（ＳＣ−ＦＤＭ）を利用する。ＯＦＤＭおよびＳＣ−ＦＤＭは、システム帯域幅を、一般にトーン、ビン等とも称される複数（Ｋ）個の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．４，３，５，１０，２０メガヘルツ（ＭＨｚ）のシステム帯域幅についてそれぞれ１２８、２５６、５１２、１０２４、２０４８にそれぞれ等しい。
【００１６】
ダウンリンクおよびアップリンクのおのおのために利用可能な時間−周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。アップリンクでは、２Ｌ個のＳＣ−ＦＤＭＡシンボルが、図２に示すように、おのおののサブフレームのシンボル期間０乃至２Ｌ−１で送信されうる。ダウンリンクでは、２Ｌ個のＯＦＤＭシンボルが、おのおののサブフレームのシンボル期間０乃至２Ｌ−１で送信されうる（図２に図示せず）。
【００１７】
ＬＴＥは、アップリンクにおいて、ＵＥによるサウンディング基準信号（ＳＲＳ）の送信をサポートする。サウンディング基準信号は、受信機が送信機から受信機への無線チャネルの応答を推定できるようにするために、送信機によって定期的に送信されうる基準信号である。
【００１８】
図３は、ＬＴＥにおけるアップリンクでのＵＥによるサウンディング基準信号の典型的な送信３００を示す。ＵＥは、おのおののＳＲＳサブフレームの１つのシンボル期間においてサウンディング基準信号を送信するように構成されうる。ＳＲＳサブフレームは、サウンディング基準信号が送信されるサブフレームである。ＵＥはまた、ＳＲＳ帯域幅と称されうる特定の帯域幅でもサウンディング基準信号を送信するように構成されうる。一般に、ＳＲＳ帯域幅は、システムの帯域幅の一部またはすべてをカバーしうる。ＳＲＳ帯域幅がより広くなると、より広い周波数範囲にわたるチャネル推定が可能となりうる。
【００１９】
ＵＥは、（図３に示すように）周波数ホッピングを用いて、または、（図３に示していないが）周波数ホッピングを用いることなく、サウンディング基準信号を送信しうる。周波数ホッピングが可能とされている場合、ＵＥは、異なるＳＲＳサブフレームにおける異なる周波数位置において、サウンディング基準信号を送信しうる。これによって、ｅＮＢは、ＵＥによって送信されたサウンディング基準信号に基づいて、システム帯域幅にわたるアップリンク・チャネル応答を推定することが可能となりうる。ＵＥは、公的に利用可能な "Evolved Universal Terrestrial Radio Access (E-UTRA); Physical Channels and Modulation"と題された３ＧＰＰ  ＴＳ  ３６．２１１に記載されているようなサウンディング基準信号を生成しうる。
【００２０】
態様では、サウンディング基準信号は、ＵＥの位置決めをサポートするために設計され使用されうる。位置決めは、ＵＥの地理的位置を決定するための処理を称する。ＵＥは、アップリンクでサウンディング基準信号を送信しうる。異なる位置における複数の受信局（例えば、ｅＮＢ、位置測定ユニット（ＬＭＵ）等）は、ＵＥからサウンディング基準信号を受信しうる。おのおのの受信局は、その受信局において、サウンディング基準信号のＴＯＡを決定しうる。異なる受信局は、これらの受信局のための異なる位置および伝播時間により、ＵＥからのサウンディング基準信号について、異なるＴＯＡを測定しうる。Ｕ−ＴＤＯＡ位置決め方法は、異なる受信局と既知の位置とのサウンディング基準信号のＴＯＡの差に基づいて、ＵＥの位置を計算しうる。異なる受信局からのＴＯＡ測定値は、ＵＥ位置を決定するダウンリンク三角測量方法に類似した方法で結合されうる。
【００２１】
一般に、Ｕ−ＴＤＯＡは、アップリンク上で送信されたさまざまな信号を使用して、ネットワーク側で実施されうる。例えば、Ｕ−ＴＤＯＡは、サウンディング基準信号、物理ランダム・アクセス・チャネル（ＰＲＡＣＨ）で送信されたランダム・アクセス・プリアンブル信号、またはその他いくつかの信号を用いて、Ｅ−ＵＴＲＡＮで実施されうる。一般に、所与の信号のＴＯＡ測定の時間分解能／精度は、信号の帯域幅に依存し、より広い信号帯域幅については、より高い時間分解能が得られうる。ランダム・アクセス・プリアンブル信号は、約１ＭＨｚの帯域幅で送信されるので、制限された時間精度しか持たない。これによって、ＵＥの位置決め推定値の精度も制限されてしまう。サウンディング基準信号は、システム帯域幅の全体におよんで送信されうるので、ランダム・アクセス・プリアンブル信号の帯域幅制限を回避しうる。しかしながら、サウンディング基準信号が、１つのシンボル期間におけるシステム帯域幅のすべて、または、大部分で送信される場合、ＵＥの利用可能な送信電力は、より多くのサブキャリアにわたって拡散され、おのおののサブキャリアは、より低い電力を持つようになるであろう。その後、サウンディング基準信号は、いくつかの受信局によって、劣悪な信号品質で受信されうる。
【００２２】
図４は、Ｕ−ＴＤＯＡのために良好なパフォーマンスを提供するサウンディング基準信号４００の設計を示す。この設計では、サウンディング基準信号は、サブフレームのうちの２つのＳＲＳシンボル期間で送信されうる。ＳＲＳシンボル期間は、サウンディング基準信号が送信されるシンボル期間である。サウンディング基準信号はまた、サブフレームのおのおののＳＲＳシンボル期間における異なる周波数位置において、隣接するサブキャリアのセットでも送信されうる。サウンディング基準信号は、セット内のサブキャリアのすべてまたはいくつかを占有しうる。
【００２３】
シンボル期間内のサブキャリアのセットにおけるサウンディング基準信号の送信は、ＳＲＳ送信、ＳＲＳバースト、パイロット・バースト等と称されうる。図４で示される設計では、２つのＳＲＳ送信が、サブフレームの２つのシンボル期間において、２つの周波数位置で送られうる。２より多い周波数位置において、および／または、サブフレームのうちの２より多いシンボル期間において、２より多いＳＲＳ送信も送られうる。
【００２４】
１つの設計では、ＳＲＳ送信は、図４に示すように、おのおののＳＲＳサブフレームのうちの同じシンボル期間における異なる周波数位置において送られうる。
【００２５】
一般に、ＳＲＳ送信は、（ｉ）ＳＲＳサブフレームの異なるシンボル期間における固定周波数位置または可変周波数位置で、（ｉｉ）異なるＳＲＳサブフレームにおける固定周波数位置または可変周波数位置で、（ｉｉｉ）異なるＳＲＳサブフレームの固定シンボル期間または可変シンボル期間で送られうる。
【００２６】
図５は、Ｕ−ＴＤＯＡのために良好なパフォーマンスを提供するサウンディング基準信号５００の設計を示す。この設計では、サウンディング基準信号は、サブフレームのおのおののシンボル期間において送信されうる。さらに、サウンディング基準信号は、おのおののシンボル期間における異なる周波数位置において、隣接したサブキャリアのセットで送信されうる。サウンディング基準信号のための周波数位置は、擬似乱数（ＰＮ）シーケンス、または、予め定義されたパターン、または、その他いくつかの手段に基づいて選択されうる。
【００２７】
１つの設計では、図５に示されるように、異なるＳＲＳサブフレームについて、異なるパターンの周波数位置対シンボル期間が使用されうる。別の設計では、すべてのＳＲＳサブフレームについて、固定パターンの周波数位置対シンボル期間が使用されうる。
【００２８】
１つの設計では、サウンディング基準信号は、隣接するサブキャリアで送信されうる。これは、ＳＣ−ＦＤＭＡのため単一キャリア波形を確保するので、ＳＲＳ送信について、より低いピーク対平均電力比（ＰＡＲＲ）となる。より低いＰＡＰＲによって、ＳＲＳ送信は、よい高い送信電力レベルで送信されるようになる。これは、望ましいことでありうる。別の設計では、サウンディング基準信号は、隣接しないサブキャリアで送信されうる。例えば、Ｍ個の隣接しないサブキャリアのセットが定義されうる。ここで、おのおののセットは、Ｍ個のサブキャリアによって隔離されたサブキャリアを含む。サウンディング基準信号は、異なるシンボル期間において、隣接しないサブキャリアの異なるセットで送信されうる。明瞭化のために、本明細書における記載のほとんどは、サウンディング基準信号が、隣接するサブキャリアのセットで送信される設計のためのものである。
【００２９】
１つの設計では、サウンディング基準信号は、サブキャリアのセットにおけるすべてのサブキャリアにおいて送信されうる。別の設計では、サウンディング基準信号は、サブキャリアのセットにおけるいくつかのサブキャリアにおいて送信されうる。例えば、サウンディング基準信号は、おのおののリソース・ブロックにおいて、２、３、４、または６のサブキャリアにおいて送信されうる。これによって、ＳＲＳ送信のために使用されるおのおののサブキャリアのために、より高い送信電力を使用することが可能となる。
【００３０】
図４および図５で示される設計の場合、サウンディング基準信号は、おのおののＳＲＳシンボル期間におけるサブキャリアのセットで送信されうる。１つの設計では、セットにおけるサブキャリアの数は、例えば、ＳＲＳ帯域幅に関わらず固定されうる。別の設計では、セットにおけるサブキャリアの数は、設定可能であり、例えば、ＵＥのために設定されたＳＲＳ帯域幅、ＵＥの利用可能な送信電力、ＵＥの位置等のようなさまざまな要因に基づきうる。
【００３１】
ＴＯＡ測定のために、受信局によって、良好な時間分解能が得られるように、（例えば、システム帯域幅の全体にわたるように）より大きな帯域幅にわたってサウンディング基準信号を送信することが望ましい場合がある。また、特定の数のシンボル期間によって与えられる特定の期間内で、ＳＲＳ帯域幅の全体をスキャンすることが望ましい場合がある。この期間は、異なるシンボル期間で送られたＳＲＳ送信が、コヒーレントに結合されるように、無線チャネルのコヒーレンス時間内であるべきである。コヒーレンス時間は、無線チャネルの応答が、比較的不変であると仮定されうる期間である。
【００３２】
ＳＲＳ帯域幅の全体をスキャンするために必要とされる時間の長さは、ＳＲＳ帯域幅、おのおののセットにおけるサブキャリア数、ＳＲＳシンボル期間の間のインタバルに依存しうる。例えば、ＳＲＳ帯域幅は、２０ＭＨｚのシステム帯域幅の場合、１１０のリソース・ブロックをカバーしうる。サブキャリアのセットが、１つのリソース・ブロックをカバーする場合、２０ＭＨｚのシステム帯域幅全体が、１１０のＳＲＳシンボル期間内でスキャンされうる。１つのＳＲＳシンボル期間が、（例えば図３に示されるように）おのおののサブフレームにおいて利用可能である場合、システム帯域幅全体は、１１０のサブフレームまたは１１０ミリ秒内でスキャンされうる。このスキャン期間は、無線チャネルの一般的なコヒーレンス時間よりはるかに長くなりうる。この場合、１つのスキャン期間において送られたＳＲＳ送信をコヒーレントに結合することは可能ではないかもしれない。しかしながら、（例えば図５に示すように）サウンディング基準信号が、サブフレームのおのおののシンボル期間で送信される場合、システム帯域幅の全体が、約８のサブフレームにおいてスキャンされうる。さらに、サウンディング基準信号が、おのおののＳＲＳシンボル期間において、（１つのみのリソース・ブロックではなく）８のリソース・ブロックをカバーしているサブキャリアのセットで送信されている場合、２０ＭＨｚのシステム帯域幅の全体が、１つのサブフレームにおいてスキャンされうる。
【００３３】
一般に、おのおののサブフレームにおける、おのおののＳＲＳシンボル期間において、および／または、より多くのＳＲＳシンボル期間において、より多くのサブキャリアでサウンディング基準信号を送信することによって、ＳＲＳ帯域幅が、より迅速にスキャンされるようになる。これは、望ましいことでありうる。しかしながら、おのおののＳＲＳシンボル期間において、より多くのサブキャリアでサウンディング基準信号を送信することは、サブキャリア毎の送信電力がより低くなるので、受信局において受信されたサウンディング基準信号の品質がより低くなりうる。サウンディング基準信号が、おのおののＳＲＳシンボル期間において、より少ないサブキャリアで送信された場合、逆のことが真となりうる。おのおののＳＲＳシンボル期間において、ＳＲＳ送信のために使用するサブキャリアの数は、スキャン速度と受信品質との間のトレードオフに基づいて選択されうる。
【００３４】
図４および図５は、Ｕ−ＴＤＯＡのために良好なパフォーマンスを提供しうるイントラ・サブフレーム狭帯域サウンディング基準信号の２つの典型的な設計を示す。用語「イントラ・サブフレーム」は、サブフレームの複数のシンボル期間において送信されるサウンディング基準信号を称する。用語「狭帯域」は、所与のシンボル期間における合計Ｋ個のサブキャリアのごく一部においてのみ送信されるサウンディング基準信号を称する。ＳＲＳ送信のために使用されるサブキャリアのセットは、（図５に示すような）準ランダムなホッピング、または、予め定めたパターンに基づいて選択されうる。
【００３５】
一般に、サウンディング基準信号は、サブフレームの複数のシンボル期間において送信されうる。これによって、受信局は、複数のシンボル期間において受信されたＳＲＳ送信をコヒーレントに結合できるようになる。これは、コヒーレントな結合利得を提供し、もって、改善された検出パフォーマンスを提供しうる。さらに、サウンディング基準信号は、サブフレーム内の異なる周波数位置で送信されうる。これによって、より良好な時間分間能を持つＴＯＡ推定が可能となりうる。１つの設計では、図４および図５に示されるように、単一のＳＲＳ送信が、所与のシンボル期間において、単一のサブキャリアのセットで送信されうる。別の設計では、複数のＳＲＳ送信が、所与のシンボル期間における異なる周波数位置において、異なるサブキャリアのセットで送信されうる。これら両設計の場合、サウンディング基準信号は、合計Ｋ個のサブキャリアのうちの小さなサブセットで送信されうる。そして、サウンディング基準信号を送信するために使用されるおのおののサブキャリアのために、より高い送信電力が使用されうる。これによって、サウンディング基準信号は、受信局によって、より高い電力、かつ、より良好な受信品質で受信されるようになる。
【００３６】
１つの設計では、ＵＥは、例えばサービス提供セルのように、指定されたエンティティによって、サウンディング基準信号を送信するためにスケジュールされうる。その後、ＵＥは、スケジュールされたように、サウンディング基準信号を送信しうる。指定されたエンティティは、ＵＥがサウンディング基準信号を送信するためのＳＲＳ設定を選択しうる。例えば、指定されたエンティティは、ＳＲＳ帯域幅、おのおののＳＲＳ送信のサブキャリアの数、ＳＲＳシンボル期間、ＳＲＳサブフレーム等を選択しうる。指定されたエンティティは、これら受信局がＵＥからＳＲＳ送信を受信し処理することを可能にするために、他の受信局へ（例えば、ＬＴＥにおいてＸ２インタフェースを介して）ＳＲＳ設定を伝送しうる。
【００３７】
１つの設計では、複数のＵＥが、同じＳＲＳシンボル期間において、異なるサブキャリアのセットで、これらサウンディング基準信号を同時に送信しうる。この設計では、異なるＵＥは、おのおののＳＲＳシンボル期間における異なる周波数位置において、周波数分割多重化されうる。別の設計では、複数のＵＥが、同じＳＲＳシンボル期間において、同じサブキャリアのセットで、これらサウンディング基準信号を同時に送信しうる。これらのＵＥは、符号分割多重化され、例えば、Ｚａｄｏｆｆ−Ｃｈｕシーケンスのような異なるＣＡＺＡＣ（constant amplitude zero auto correlation）シーケンスのサイクリックなシフトのような、異なる直交符号を割り当てられうる。別の方式では、これらサウンディング基準信号のために、複数のＵＥも多重化されうる。
【００３８】
図６は、サウンディング基準信号のための送信機６００の設計のブロック図を示す。送信機６００内では、ＳＲＳシーケンス・ジェネレータ６１０は、ＳＲＳ帯域幅を示すインジケーションを受信し、十分な数のＳＲＳ変調シンボルを備えるＳＲＳシーケンスを生成しうる。おのおののＳＲＳ変調シンボルは、１つのリソース要素で送信されるべき実数または複素数でありうる。ＳＲＳシーケンスは、ＰＮシーケンス、ＣＡＺＡＣシーケンス、または、例えば、低いＰＡＲＲ、フラットなスペクトル応答、良好な相関特性、低い受信機処理複雑さ等の良好な特性を有するその他いくつかのシーケンスに基づいて生成されうる。ＳＲＳシーケンスの長さは、ＳＲＳ帯域幅によって示されうる、サウンディング基準信号を送信するために使用されるサブキャリアの数に依存しうる。ＳＲＳ対サブキャリア・マッパ６２０は、所与のシンボル期間において、サウンディング基準信号の周波数位置を示すインジケーションを受信しうる。そして、適切な周波数位置において、サブキャリアのセットに、ＳＲＳ変調シンボルのシーケンスをマップしうる。
【００３９】
マッパ６２０はまた、送信のために使用されないサブキャリアに、０の信号値を持つ０シンボルをマップしうる。マルチプレクサ（Ｍｕｘ）６３０は、第１の入力においてマッパ６２０からＳＲＳ変調シンボルを、第２の入力においてその他の変調シンボルを受信しうる。その他の変調シンボルは、データ・シンボル、制御シンボル等を備えうる。マルチプレクサ６３０は、アップリンクにおける他の送信とともに、サウンディング基準信号を、時分割多重化（ＴＤＭ）しうる。そして、（ｉ）おのおののＳＲＳシンボル期間においてＳＲＳ変調シンボルを、（ｉｉ）残りのシンボル期間においてその他の変調シンボルを提供しうる。マルチプレクサ６３０はまた、ＳＲＳ変調シンボルおよびその他の変調シンボルを別の方式でも多重化しうる。変調器６４０は、おのおののシンボル期間において、マルチプレクサ６３０から変調シンボルを受信しうる。そして、シンボル期間について、ＳＣ−ＦＤＭＡシンボル、ＯＦＤＭシンボル、または、その他いくつかのシンボルを生成しうる。ＳＣ−ＦＤＭＡシンボルまたはＯＦＤＭシンボルは、１つのシンボル期間のうちの（Ｋ＋Ｃ）個のサンプル期間において送信されるべき（Ｋ＋Ｃ）個のサンプルを備えうる。ここで、Ｋは、サブキャリアの総数であり、Ｃは、サイクリック・プレフィクス長さである。ＳＣ−ＦＤＭＡシンボルまたはＯＦＤＭシンボルを生成する処理は、前述した３ＧＰＰ  ３６−２１１に記載されている。
【００４０】
図７は、ｅＮＢまたはＬＵＭでありうる受信局におけるＳＲＳ受信機７００の設計のブロック図を示す。受信局は、イントラ・サブフレーム狭帯域サウンディング基準信号を送信するように構成されたＵＥを（例えば、Ｘ２インタフェースを介して）通知されうる。その後、受信局は、ＵＥからのサウンディング基準信号を求めて検出しうる。あるいは、受信局は、異なるＵＥからサウンディング基準信号を求めてブラインド検出しうる。
【００４１】
ＳＲＳ受信機７００内では、ＳＲＳジェネレータ７１０は、図６におけるＳＲＳシーケンス・ジェネレータ６１０、ＳＲＳ対サブキャリア・マッパ６２０、および変調器６４０を含みうる。ＳＲＳジェネレータ７１０は、ＵＥのサウンディング基準信号のためのさまざまなパラメータを受信しうる。これらのパラメータは、ＳＲＳ帯域幅、ＳＲＳ周波数位置、ＳＲＳシンボル期間、おのおののＳＲＳ送信のためのサブキャリア数等を含みうる。ＳＲＳジェネレータ７１０は、受信されたパラメータに基づいて、おのおののＳＲＳシンボル期間のためのＳＲＳサンプル・シーケンスを生成しうる。おのおののＳＲＳシンボル期間のＳＲＳサンプル・シーケンスは、少なくとも１つのサブキャリアのセットにおいて、少なくとも１つのＳＲＳ送信を備えるＯＦＤＭシンボルまたはＳＣ−ＦＤＭＡシンボルに対応しうる。
【００４２】
サンプル・バッファ７２０は、入力サンプルを受信して格納しうる。さらに、適切な入力サンプルを相関器７３０に提供しうる。相関器７３０は、バッファ７２０からの、異なるＳＲＳシンボル期間のための入力サンプルを、ＳＲＳジェネレータ７１０からの、これらＳＲＳシンボル期間のためのＳＲＳサンプル・シーケンスと相関付けうる。おのおののＳＲＳシンボル期間について、相関器７３０は、異なるサンプル期間または異なるサブ・サンプル期間に対応するＳＲＳシンボル期間の入力サンプルを、異なる時間オフセットにおけるＳＲＳシンボル期間のＳＲＳサンプル・シーケンスと相関付けうる。おのおのの時間オフセットについて、相関器７３０は、入力サンプルを、時間オフセットにおけるＳＲＳサンプル・シーケンスに相関付け、時間オフセットのための相関出力を提供しうる。相関器７３０は、おのおのの時間オフセットについて異なるＳＲＳシンボル期間のための相関出力のセットを取得しうる。おのおのの時間オフセットについて、コヒーレント・アキュムレータ７４０は、すべてのＳＲＳシンボル期間の相関出力を蓄積し、この時間オフセットのための相関結果を提供しうる。ピーク検出器７５０は、すべての時間オフセットのための相関結果を受け取り、この相関結果に基づいてピークを検出し、検出されたピークに対応する時間オフセットを、ＵＥのサウンディング基準信号の検出されたタイミングとして提供しうる。検出されたピークは、最大の大きさを持つ相関結果であるか、特定のしきい値を越える大きさを持つ最も早期の相関結果であるか、他の方式で定義された相関結果でありうる。サウンディング基準信号の検出されたタイミングは、受信局における、ＵＥからのサウンディング基準信号のＴＯＡに対応しうる。
【００４３】
図７に示すように、同じサブフレームの複数のシンボル期間においてＳＲＳ送信を送ることによって、受信局は、これらシンボル期間にわたって受信されたＳＲＳ送信をコヒーレントに結合できるようになる。これは、受信されたサウンディング基準信号の信号品質を改善しうる。異なるサブフレームで送られたＳＲＳ送信をコヒーレントに結合することは、サブフレームにわたる無線チャネルの応答の変動によって、可能である場合も、可能ではない場合もありうる。一般に、無線チャネルのコヒーレンス時間内に受信されたＳＲＳ送信は、コヒーレントに結合されうる。無線チャネルのコヒーレンス時間は、ＵＥのモビリティ、受信局のモビリティ、および／または、その他の要因に依存しうる。
【００４４】
図７に示す典型的な設計では、相関器７３０は、おのおののＳＲＳシンボル期間の相関付けを実行しうる。そして、アキュムレータ７４０は、ＳＲＳシンボル期間にわたりコヒーレントな蓄積を実行する。別の設計では、相関付けおよびコヒーレントな蓄積が、結合されうる。この設計では、ＳＲＳジェネレータ７１０は、コヒーレントに結合されるべきすべてのＳＲＳシンボル期間のために拡張されたＳＲＳサンプル・シーケンスを生成しうる。相関器７３０は、すべてのＳＲＳシンボル期間の入力サンプルを、異なる時間オフセットにおいて拡張されたＳＲＳサンプル・シーケンスと相関付け、おのおのの時間オフセットのための相関結果を提供しうる。
【００４５】
図８は、無線ネットワークにおいて基準信号を送信する処理８００の設計を示す。処理８００は、（以下に説明するように）ＵＥによって実行されうるか、または、その他いくつかの送信局によって実行されうる。ＵＥは、複数の周波数位置において、基準信号の複数の送信を生成しうる（ブロック８１２）。ＵＥは、少なくとも１つのサブフレームの複数のシンボル期間において、基準信号の複数の送信を送りうる（ブロック８１４）。ＵＥは、少なくとも１つのサブフレームのおのおのので、基準信号の少なくとも２つの送信を送りうる。１つの設計では、ＵＥは、図５に示すように、例えば、サブフレームのおのおののシンボル期間において、基準信号の１つの送信のように、単一のサブフレームの異なるシンボル期間において、基準信号の送信を送りうる。別の設計では、図４に示すように、ＵＥは、例えば、おのおののサブフレームにおけるシンボル期間のサブセットで、複数のサブフレームのうちの異なるシンボル期間において、基準信号の送信を送りうる。
【００４６】
１つの設計では、基準信号のおのおのの送信は、システム帯域幅に等しいか、それよりも小さい基準信号の帯域幅の一部をカバーしうる。基準信号の複数の送信が、基準信号の帯域幅の全体をカバーしうる。１つの設計では、基準信号のおのおのの送信は、特定の周波数位置において、隣接したサブキャリアのセットで送られうる。隣接するサブキャリアのセットは、設定可能な数のサブキャリアを含みうる。これは、基準信号の帯域幅、および／または、その他の要因に基づいて決定されうる。１つの設計では、基準信号のおのおのの送信は、隣接しないサブキャリアのセットで送られうる。これら両設計のために、セット内のサブキャリアのすべてまたはいくつかで基準信号シーケンスが送信されうる。
【００４７】
ブロック８１２の１つの設計では、例えば、図５に示すように、ＵＥは、異なる周波数位置において、基準信号の複数の送信を生成し、おのおのの周波数位置において、基準信号の１つの送信を生成しうる。ＵＥは、例えば図５に示すように、複数のシンボル期間における準ランダムな周波数位置において、基準信号の複数の送信を生成しうる。１つの設計では、ＵＥは、例えば、ＰＮシーケンス、Ｚａｄｏｆｆ−Ｃｈｕシーケンス、または、その他いくつかのシーケンスに基づいて、シンボルのシーケンスを生成しうる。基準信号のおのおのの送信について、ＵＥは、シンボルのシーケンスにおけるシンボルを、基準信号の送信のために選択された周波数位置におけるサブキャリアのセットにマップしうる。
【００４８】
１つの設計では、ＵＥは、複数のシンボル期間のおのおのについて、ＳＣ−ＦＤＭＡシンボルまたはＯＦＤＭシンボルを生成しうる。ＳＣ−ＦＤＭＡシンボルまたはＯＦＤＭシンボルはおのおのの、例えば、おのおのの周波数位置について基準信号の１つの送信のように、少なくとも１つの周波数位置について基準信号の少なくとも１つの送信を備えうる。ＵＥは、少なくとも１つの基地局および／または少なくとも１つのＬＭＵを含みうる複数の受信局へ、基準信号の複数の送信を送りうる。
【００４９】
１つの設計では、基準信号は、位置決めのために使用されうる。基準信号の複数のＴＯＡは、ＵＥからの基準信号の送信に基づいて、複数の受信局によって取得されうる。ＵＥの位置推定値は、Ｕ−ＴＤＯＡ位置決め方法を用いて、基準信号の複数のＴＯＡに基づいて決定されうる。基準信号はまた、その他の目的にも使用されうる。
【００５０】
図９は、無線通信ネットワークにおいて、基準信号を受信する処理９００の設計を示す。処理９００は、基地局／ｅＮＢ、ＬＭＵ等でありうる受信局によって実行されうる。受信局は、少なくとも１つのサブフレームの複数のシンボル期間における複数の周波数位置において、基準信号の複数の送信を受信しうる（ブロック９１２）。受信局は、少なくとも１つのサブフレームのおのおのにおいて、基準信号の少なくとも２つの送信を受信しうる。受信機は、基準信号のＴＯＡを決定するために、受信された基準信号の送信を処理しうる（ブロック９１４）。
【００５１】
１つの設計では、基準信号のおのおのの送信は、基準信号の帯域幅の一部をカバーし、基準信号の複数の送信は、帯域幅の全体をカバーしうる。１つの設計では、基準信号のおのおのの送信は、隣接したサブキャリアのセット、または隣接しないサブキャリアのセットで送られうる。基準信号は、このセット内のサブキャリアのすべてまたはいくつかで受信されうる。
【００５２】
ブロック９１２の１つの設計では、受信局は、例えば、図５に示すように、サブフレームのおのおののシンボル期間における基準信号の１つの送信のように、単一のサブフレームの異なるシンボル期間において、基準信号の複数の送信を受信しうる。別の設計では、図４に示すように、例えば、おのおののサブフレームにおけるシンボル期間のサブセットにおけるように、複数のサブフレームの異なるシンボル期間において、基準信号の複数の送信を受信しうる。１つの設計では、図５に示すように、受信局は、例えば、おのおのの周波数位置における基準信号の１つの送信のように、異なる周波数位置において基準信号の複数の送信を受信しうる。１つの設計では、受信局は、例えば図５に示すように、複数のシンボル期間における準ランダムな周波数位置において、基準信号の複数の送信を受信しうる。
【００５３】
ブロック９１４の１つの設計では、受信局は、複数のシンボル期間について、複数のサンプル・シーケンスを生成しうる。おのおののサンプル・シーケンスは、１つのシンボル期間における少なくとも１つの周波数位置のために、基準信号の少なくとも１つの送信を備えうる。おのおののサンプル・シーケンスは、１つのシンボル期間において、基準信号の少なくとも１つの送信を備えるＯＦＤＭシンボルまたはＳＣ−ＦＤＭＡシンボルに対応しうる。受信局は、受信された基準信号の送信を、異なる時間オフセットにおける複数のサンプル・シーケンスに相関付けうる。１つの設定では、おのおのの時間オフセットについて、受信局は、（ｉ）受信された基準信号のおのおのの送信を、時間オフセットにおいて対応するサンプル・シーケンスに相関付け、（ｉｉ）複数のシンボル期間にわたって相関出力をコヒーレントに結合し、時間オフセットのための相関結果を取得する。受信機は、異なる時間オフセットのための相関結果に基づいて、基準信号のＴＯＡを決定しうる。例えば、受信局は、異なる時間オフセットのための相関結果におけるピークを求める検出を行い、検出されたピークに対応する時間オフセットに基づいてＴＯＡを決定しうる。
【００５４】
１つの設計では、基準信号は、位置決めのために使用されうる。ＵＥは、基準信号の複数の送信を送りうる。複数の受信局は、ＵＥから、基準信号の送信を受信し、基準信号の複数のＴＯＡを決定しうる。ＵＥのための位置推定値は、Ｕ−ＴＤＯＡ位置決め方法を用いて、基準信号の複数のＴＯＡに基づいて決定されうる。１つの設計では、おのおのの受信局は、すべての受信局からのＴＯＡに基づいてＵＥのための位置決め推定値を決定しうる（例えば、図１のネットワーク・コントローラ１３０のような）ネットワーク・エンティティへ、基準信号のＴＯＡを送信しうる。別の設計では、サービス提供基地局は、他の受信局から、基準信号のＴＯＡを受信し、ＵＥの位置決め推定値を決定しうる。
【００５５】
基準信号はまた、その他の目的のためにも使用されうる。
【００５６】
図１０は、図１における複数の基地局／ｅＮＢのうちの１つでありうるＵＥ１２０および基地局／ｅＮＢ１１０の設計のブロック図を示す。ＵＥ１２０は、Ｔ個のアンテナ１０３４ａ乃至１０３４ｔを備え、基地局１１０は、Ｒ個のアンテナ１０５２ａ乃至１０５２ｒを備えうる。ここで、一般に、Ｔ≧１およびＲ≧１である。
【００５７】
ＵＥ１２０では、送信プロセッサ１０２０が、データ・ソース１０１２からデータを受け取り、このデータを処理（例えば、エンコード、インタリーブ、およびシンボル・マップ）し、データ・シンボルを提供する。送信プロセッサ１０２０はまた、コントローラ／プロセッサ１０４０からの制御情報を処理し、制御シンボルを提供しうる。送信プロセッサ１０２０はまた、サウンディング基準信号および／またはその他の基準信号またはパイロットのためのＳＲＳ変調シンボルの生成をも行いうる。送信プロセッサ１０２０は、図６の送信機６００の一部を実現しうる。適用可能な場合、送信（ＴＸ）複数入力複数出力（ＭＩＭＯ）プロセッサ１０３０は、データ・シンボル、制御シンボル、および／または、ＳＲＳ基準変調シンボルについて事前符号化を実施しうる。プロセッサ１０３０は、Ｔ個の出力シンボル・ストリームを、Ｔ個の変調器（ＭＯＤ）１０３２ａ乃至１０３２ｔへ提供しうる。おのおのの変調器１０３２は、（例えば、ＳＣ−ＦＤＭＡ、ＯＦＤＭ等のために）それぞれの出力シンボル・ストリームを処理して、出力サンプル・ストリームを得る。おのおのの変調器１０３２はさらに、出力サンプル・ストリームを処理（例えば、アナログ変換、増幅、フィルタ、およびアップコンバート）し、アップリンク信号を取得する。変調器１０３２ａ乃至１０３２ｔからのＴ個のアップリンク信号は、Ｔ個のアンテナ１０３４ａ乃至１０３４ｔによってそれぞれ送信されうる。
【００５８】
基地局１１０では、アンテナ１０５２ａ乃至１０５２ｒは、ＵＥ１２０からアップリンク信号を受信し、受信された信号を、復調器（ＤＥＭＯＤ）１０５４ａ乃至１０５４ｒへそれぞれ提供しうる。おのおのの復調器１０５４は、受信されたそれぞれの信号を調整（例えば、フィルタ、増幅、ダウンコンバート、およびデジタル化）して、入力サンプルを取得しうる。おのおのの復調器１０５４はさらに、（例えば、ＳＣ−ＦＤＭＡ、ＯＦＤＭ等の）これら入力サンプルを処理して、受信されたシンボルを取得しうる。ＭＩＭＯ検出器１０５６は、Ｒ個の復調器１０５４ａ乃至１０５４ｒのすべてから受信されたシンボルを取得し、適用可能であれば、これら受信されたシンボルについて受信機空間処理を実行し、検出されたシンボルを提供しうる。受信プロセッサ１０５８は、検出されたシンボルを処理（例えば、復調、デインタリーブ、および復号）し、復号されたデータをデータ・シンク１０６０に提供し、復号された制御情報をコントローラ／プロセッサ１０８０へ提供しうる。復調器１０５４および／またはプロセッサ１０５８は、ＵＥ１２０からのサウンディング基準信号を求める検出を行い、サウンディング基準信号のＴＯＡを決定しうる。復調器１０５４および/またはプロセッサ１０５８は、図７におけるＳＲＳ受信機７００を実現しうる。
【００５９】
ダウンリンクでは、基地局１１０において、送信プロセッサ１０６４が、データ・ソース１０６２からデータを、コントローラ／プロセッサ１０８０から制御情報を受信し、これらを処理しうる。送信プロセッサ１０６４はさらに、基準シンボルのための変調シンボルを生成しうる。送信プロセッサ１０６４からのシンボルは、適用可能であれば、ＴＭ  ＭＩＭＯプロセッサ１０６６によって事前符号化され、さらに、変調器１０５４ａ乃至１０５４ｒによって処理され、ＵＥ１２０へ送信される。ＵＥ１２０では、基地局１１０からのダウンリンク信号が、アンテナ１０３４によって受信され、復調器１０３２によって処理され、適用可能な場合にはＭＩＭＯ検出器１０３６によって検出され、さらに、受信プロセッサ１０３８によって処理されて、ＵＥ１２０へ送信された復号されたデータおよび制御情報が取得される。
【００６０】
コントローラ／プロセッサ１０４０、１０８０は、ＵＥ１２０および基地局１１０それぞれにおける動作を指示しうる。ＵＥ１２０におけるプロセッサ１０２０、プロセッサ１０４０、および／または、その他のプロセッサおよびモジュールもまた、図８における処理８００、および／または、本明細書に記載された技術のためのその他の処理の実行または指示を行いうる。基地局１１０におけるプロセッサ１０５８、プロセッサ１０８０、および／またはその他のプロセッサおよびモジュールは、図９の処理９００、および／または、本明細書に記載された技術のためのその他の処理の実行または指示を行いうる。メモリ１０４２、１０８２は、ＵＥ１２０および基地局１１０それぞれのためのデータおよびプログラム・コードを格納しうる。スケジューラ１０８４は、ダウンリンクおよび／またはアップリンクでのデータ送信のためにＵＥをスケジュールし、サウンディング基準信号の送信のためにＵＥをスケジュールし、スケジュールされたＵＥのためにリソース許可を提供しうる。
【００６１】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６２】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００６３】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。
【００６４】
汎用プロセッサは、マイクロ・プロセッサでありうるが、代替例では、このプロセッサは、従来のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６５】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００６６】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能記憶媒体は、汎用コンピュータまたは特別目的コンピュータによってアクセスされうる任意の利用可能な媒体でありうる。限定ではなく、一例として、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００６７】
本開示の上記記載は、当業者をして、本開示の製造または利用を可能とするように提供される。この開示に対するさまざまな変形は、当業者に容易に明らかであって、本明細書で定義された一般原理は、本開示の範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［発明１］無線通信のための方法であって、
複数の周波数位置において、基準信号の複数の送信を生成することと、
少なくとも１つのサブフレームの複数のシンボル期間において、前記基準信号の複数の送信を送ることと、ここで、前記基準信号の少なくとも２つの送信が、前記少なくとも１つのサブフレームのおのおので送られる、
を備える方法。
［発明２］前記基準信号のおのおのの送信は、前記基準信号の帯域幅の一部をカバーし、前記基準信号の複数の送信が、前記基準信号の帯域幅の全体をカバーする、発明１に記載の方法。
［発明３］前記基準信号のおのおのの送信が、特定の周波数位置において、隣接したサブキャリアのセットで送られる、発明１に記載の方法。
［発明４］前記隣接するサブキャリアのセットは、前記基準信号の帯域幅に基づいて決定された設定可能なサブキャリア数を含む、発明３に記載の方法。
［発明５］前記基準信号の複数の送信を送ることは、単一のサブフレームの異なるシンボル期間において、前記基準信号の複数の送信を、前記サブフレームのおのおののシンボル期間において、前記基準信号の１つの送信を送ることを備える、発明１に記載の方法。
［発明６］前記基準信号の複数の送信を生成することは、異なる周波数位置において、前記基準信号の複数の送信を、おのおのの周波数位置において、前記基準信号の１つの送信を生成することを備える、発明１に記載の方法。
［発明７］前記基準信号の複数の送信を生成することは、前記複数のシンボル期間における準ランダムな周波数位置において、前記基準信号の複数の送信を生成することを備える、発明１に記載の方法。
［発明８］前記基準信号の複数の送信を生成することは、
シンボルのシーケンスを生成することと、
前記基準信号のおのおのの送信のために、前記シンボルのシーケンスにおけるシンボルを、前記基準信号の送信のために選択された周波数位置におけるサブキャリアのセットにマップすることと
を備える、発明１に記載の方法。
［発明９］前記シンボルのシーケンスを生成することは、擬似乱数（ＰＮ）シーケンスまたはＺａｄｏｆｆ−Ｃｈｕシーケンスに基づいて前記シンボルのシーケンスを生成することを備える、発明８に記載の方法。
［発明１０］前記複数のシンボル期間のおのおののために、シングル・キャリア周波数分割多元接続（ＳＣ−ＦＤＭＡ）シンボルを生成することをさらに備え、おのおののＳＣ−ＦＤＭＡシンボルは、少なくとも１つの周波数位置のために、前記基準信号の少なくとも１つの送信を備える、発明１に記載の方法。
［発明１１］前記複数のシンボル期間のおのおのために、直交周波数分割多重（ＯＦＤＭ）シンボルの生成を生成することをさらに備え、おのおののＯＦＤＭシンボルは、少なくとも１つの周波数位置のために、前記基準信号の少なくとも１つの送信を備える、発明１に記載の方法。
［発明１２］前記基準信号の複数の送信を送ることは、前記基準信号の複数の送信を、ユーザ機器（ＵＥ）から、少なくとも１つの基地局、少なくとも１つの位置測定ユニット（ＬＭＵ）、またはこれら両方を備える複数の受信局へ送ることを備える、発明１に記載の方法。
［発明１３］前記基準信号の複数の到着時間（ＴＯＡ）は、前記ＵＥからの前記基準信号の複数の送信に基づいて、前記複数の受信局によって取得され、前記ＵＥのための位置推定値は、アップリンク到着時間差（Ｕ−ＴＤＯＡ）位置決め方法を用いて、前記基準信号の複数のＴＯＡに基づいて決定される、発明１２に記載の方法。
［発明１４］無線通信のための装置であって、
複数の周波数位置において、基準信号の複数の送信を生成する手段と、
少なくとも１つのサブフレームの複数のシンボル期間において、前記基準信号の複数の送信を送る手段と、ここで、前記基準信号の少なくとも２つの送信は、前記少なくとも１つのサブフレームのおのおので送られる、
を備える装置。
［発明１５］前記基準信号の複数の送信を送る手段は、単一のサブフレームの異なるシンボル期間において、前記基準信号の複数の送信を、前記サブフレームのおのおののシンボル期間において、前記基準信号の１つの送信を送る手段を備える、発明１４に記載の装置。
［発明１６］前記基準信号の複数の送信を生成する手段は、異なる周波数位置において、前記基準信号の複数の送信を、おのおのの周波数位置において、前記基準信号の１つの送信を生成する手段を備える、発明１４に記載の装置。
［発明１７］前記基準信号の複数の送信を生成する手段は、
シンボルのシーケンスを生成する手段と、
前記シンボルのシーケンスにおけるシンボルを、前記基準信号のおのおのの送信のために選択された周波数位置におけるサブキャリアのセットにマップする手段と
を備える、発明１４に記載の装置。
［発明１８］無線通信のための装置であって、
複数の周波数位置において、基準信号の複数の送信を生成し、少なくとも１つのサブフレームの複数のシンボル期間において、前記基準信号の複数の送信を送るように構成された少なくとも１つのプロセッサを備え、前記基準信号の少なくとも２つの送信は、前記少なくとも１つのサブフレームのおのおので送られる、装置。
［発明１９］前記少なくとも１つのプロセッサは、単一のサブフレームの異なるシンボル期間において、前記基準信号の複数の送信を、前記サブフレームのおのおののシンボル期間において、前記基準信号の１つの送信を送るように構成された、発明１８に記載の装置。
［発明２０］前記少なくとも１つのプロセッサは、異なる周波数位置において、前記基準信号の複数の送信を、おのおのの周波数位置において、前記基準信号の１つの送信を生成するように構成された、発明１８に記載の装置。
［発明２１］前記少なくとも１つのプロセッサは、シンボルのシーケンスを生成し、前記シンボルのシーケンスにおけるシンボルを、前記基準信号のおのおのの送信のために選択された周波数位置におけるサブキャリアのセットにマップするように構成された、発明１８に記載の装置。
［発明２２］コンピュータ・プログラム製品であって、
少なくとも１つのコンピュータに対して、複数の周波数位置において、基準信号の複数の送信を生成させるためのコードと、
前記少なくとも１つのコンピュータに対して、少なくとも１つのサブフレームの複数のシンボル期間において、前記基準信号の複数の送信を送らせるためのコードと、ここで、前記基準信号の少なくとも２つの送信は、前記少なくとも１つのサブフレームのおのおので送られる、
を備えるコンピュータ読取可能媒体を備える、コンピュータ・プログラム製品。
［発明２３］無線通信のための方法であって、
少なくとも１つのサブフレームの複数のシンボル期間における複数の周波数位置において、基準信号の複数の送信を受信することと、ここで、前記基準信号の少なくとも２つの送信は、前記少なくとも１つのサブフレームのおのおので受信される、
前記基準信号の到着時間（ＴＯＡ）を決定するために、前記受信された基準信号の送信を処理することと
を備える方法。
［発明２４］前記基準信号のおのおのの送信が、前記基準信号の帯域幅の一部をカバーし、前記基準信号の複数の送信が、前記基準信号の帯域幅の全体をカバーする、発明２３に記載の方法。
［発明２５］前記基準信号の複数の送信を受信することは、単一のサブフレームの異なるシンボル期間において、前記基準信号の複数の送信を、前記サブフレームのおのおののシンボル期間において、前記基準信号の１つの送信を受信することを備える、発明２３に記載の方法。
［発明２６］前記基準信号の複数の送信を受信することは、異なる周波数位置において、前記基準信号の複数の送信を、おのおのの周波数位置において、前記基準信号の１つの送信を受信することを備える、発明２３に記載の方法。
［発明２７］前記基準信号の複数の送信を受信することは、前記複数のシンボル期間における準ランダムな周波数位置において、前記基準信号の複数の送信を受信することを備える、発明２３に記載の方法。
［発明２８］前記受信された基準信号の送信を処理することは、
前記複数のシンボル期間のための複数のサンプル・シーケンスを生成することと、ここで、おのおののサンプル・シーケンスは、１つのシンボル期間における少なくとも１つの周波数位置のために、前記基準信号の少なくとも１つの送信を備える、
前記受信された基準信号の送信を、異なる時間オフセットにおける前記複数のサンプル・シーケンスに相関付けることと、
前記異なる時間オフセットのための相関結果に基づいて、前記基準信号のＴＯＡを決定することと
を備える、発明２３に記載の方法。
［発明２９］前記受信された基準信号の送信を相関付けることは、
おのおのの時間オフセットについて、前記受信された基準信号のおのおのの送信を、前記時間オフセットにおいて対応するサンプル・シーケンスに相関付けることと、
前記時間オフセットのための相関結果を得るために、前記複数のシンボル期間にわたって相関結果をコヒーレントに結合することと
を備える、発明２８に記載の方法。
［発明３０］前記基準信号のＴＯＡを決定することは、
前記異なる時間オフセットのための相関結果におけるピークを求める検出を行うことと、
前記検出されたピークに対応する時間オフセットに基づいて前記ＴＯＡを決定すること
を備える、発明２８に記載の方法。
［発明３１］前記基準信号の複数の送信は、ユーザ機器（ＵＥ）によって送られ、複数の受信局によって受信され、前記基準信号の複数のＴＯＡは、前記ＵＥからの前記基準信号の複数の送信に基づいて、前記複数の受信局によって取得され、前記ＵＥのための位置推定値は、アップリンク到着時間差（Ｕ−ＴＤＯＡ）位置決め方法を用いて、前記基準信号の複数のＴＯＡに基づいて決定される、発明２３に記載の方法。
［発明３２］無線通信のための装置であって、
少なくとも１つのサブフレームの複数のシンボル期間における複数の周波数位置において、基準信号の複数の送信を受信する手段と、ここで、前記基準信号の少なくとも２つの送信は、前記少なくとも１つのサブフレームのおのおので受信される、
前記基準信号の到着時間（ＴＯＡ）を決定するために、前記受信された基準信号の送信を処理する手段と
を備える装置。
［発明３３］前記受信された基準信号の送信を処理する手段は、
前記複数のシンボル期間のための複数のサンプル・シーケンスを生成する手段と、ここで、おのおののサンプル・シーケンスは、１つのシンボル期間における少なくとも１つの周波数位置のために、前記基準信号の少なくとも１つの送信を備える、
前記受信された基準信号の送信を、異なる時間オフセットにおける前記複数のサンプル・シーケンスに相関付ける手段と、
前記異なる時間オフセットのための相関結果に基づいて、前記基準信号のＴＯＡを決定する手段と
を備える、発明３２に記載の装置。
［発明３４］前記受信された基準信号の送信を相関付ける手段は、
おのおのの時間オフセットについて、前記受信された基準信号のおのおのの送信を、前記時間オフセットにおいて対応するサンプル・シーケンスに相関付ける手段と、
前記時間オフセットのための相関結果を得るために、前記複数のシンボル期間にわたって相関結果をコヒーレントに結合する手段と
を備える、発明３３に記載の装置。
［発明３５］前記基準信号の複数の送信は、ユーザ機器（ＵＥ）によって送られ、複数の受信局によって受信され、前記基準信号の複数のＴＯＡは、前記ＵＥからの前記基準信号の複数の送信に基づいて、前記複数の受信局によって取得され、前記ＵＥのための位置推定値は、アップリンク到着時間差（Ｕ−ＴＤＯＡ）位置決め方法を用いて、前記基準信号の複数のＴＯＡに基づいて決定される、発明３２に記載の装置。
［発明３６］無線通信のための装置であって、
少なくとも１つのサブフレームの複数のシンボル期間における複数の周波数位置において、基準信号の複数の送信を受信し、ここで、前記基準信号の少なくとも２つの送信は、前記少なくとも１つのサブフレームのおのおので受信される、
前記基準信号の到着時間（ＴＯＡ）を決定するために、前記受信された基準信号の送信を処理する
ように構成された少なくとも１つのプロセッサを備える、装置。
［発明３７］前記少なくとも１つのプロセッサは、
前記複数のシンボル期間のための複数のサンプル・シーケンスを生成し、ここで、おのおののサンプル・シーケンスは、１つのシンボル期間における少なくとも１つの周波数位置のために、前記基準信号の少なくとも１つの送信を備える、
前記受信された基準信号の送信を、異なる時間オフセットにおける前記複数のサンプル・シーケンスに相関付け、
前記異なる時間オフセットのための相関結果に基づいて、前記基準信号のＴＯＡを決定する
ように構成された、発明３６に記載の装置。
［発明３８］おのおのの時間オフセットについて、前記少なくとも１つのプロセッサは、
前記受信された基準信号のおのおのの送信を、前記時間オフセットにおいて対応するサンプル・シーケンスに相関付け、
前記時間オフセットのための相関結果を得るために、前記複数のシンボル期間にわたって相関結果をコヒーレントに結合する
ように構成された、発明３７に記載の装置。
［発明３９］前記基準信号の複数の送信は、ユーザ機器（ＵＥ）によって送られ、複数の受信局によって受信され、前記基準信号の複数のＴＯＡは、前記ＵＥからの前記基準信号の複数の送信に基づいて、前記複数の受信局によって取得され、前記ＵＥのための位置推定値は、アップリンク到着時間差（Ｕ−ＴＤＯＡ）位置決め方法を用いて、前記基準信号の複数のＴＯＡに基づいて決定される、発明３６に記載の装置。
［発明４０］コンピュータ・プログラム製品であって、
少なくとも１つのコンピュータに対して、少なくとも１つのサブフレームの複数のシンボル期間における複数の周波数位置において、基準信号の複数の送信を受信させるためのコードと、ここで、前記基準信号の少なくとも２つの送信は、前記少なくとも１つのサブフレームのおのおので受信される、
前記少なくとも１つのコンピュータに対して、前記基準信号の到着時間（ＴＯＡ）を決定するために、前記受信された基準信号の送信を処理させるためのコードと、
を備えるコンピュータ読取可能媒体を備える、コンピュータ・プログラム製品。
【図１】
0005744849.tif 000002
【図２】
0005744849.tif 000003
【図３】
0005744849.tif 000004
【図４】
0005744849.tif 000005
【図５】
0005744849.tif 000006
【図６】
0005744849.tif 000007
【図７】
0005744849.tif 000008
【図８】
0005744849.tif 000009
【図９】
0005744849.tif 000010
【図１０】
0005744849.tif 000011